(57)【特許請求の範囲】
【請求項１】
建物の開口部に配置されている引違い戸（１）を施錠する錠装置であって、
前記引違い戸（１）の一方の戸（３）に本体（１２）を取り付けており、
その本体（１２）には、前記引違い戸（１）の他方の戸（４）に取り付けている受け金具に対して着脱自在に係止されるクレセント（１３）と、そのクレセント（１３）を回転自在に支持しているとともに前記本体（１２）に回転自在に支持されている回転体（１４）と、前記クレセント（１３）が前記受け金具から外れる開錠方向に前記回転体（１４）を付勢する付勢部（１５）と、前記回転体（１４）を回転不能にロックする回転体ロック部（１６）と、その回転体ロック部（１６）によるロックを解除する解除部（１７）とを有しており、
前記回転体（１４）は、前記開錠方向へ回転する際に前記クレセント（１３）を同行回転させるようになっており、
前記クレセント（１３）を前記受け金具に係止している状態で、所定の操作手段によって前記解除部（１７）を作動させたときには、前記回転体ロック部（１６）による前記ロックが解除されて前記回転体（１４）が前記付勢部（１５）の付勢力によって前記開錠方向へ回転し、その回転体（１４）に前記クレセント（１３）が前記開錠方向へ同行回転し、
前記クレセント（１３）には、前記回転体（１４）に形成している係留部（１４ｃ）に係留可能なロッド（１９ａ）を配置しており、
そのロッド（１９ａ）を前記係留部（１４ｃ）に係留しているときには前記クレセント（１３）と前記回転体（１４）とが一体化して回転するようになっていて、その係留状態で前記クレセント（１３）を前記受け金具に係止する施錠方向へ回転させると、前記回転体（１４）が、前記クレセント（１３）に同行回転して前記回転体ロック部（１６）によってロックされるようになっており、
前記回転体（１４）の係留部（１４ｃ）に係留している前記ロッド（１９ａ）を当該係留部（１４ｃ）から外したときには、前記クレセント（１３）を手動で回転させることが可能になっていることを特徴とする錠装置。
【請求項２】
前記ロッド（１９ａ）を前記回転体（１４）の係留部（１４ｃ）に係留している状態で当該ロッド（１９ａ）を解除可能にロックする規制手段（２３）を有していることを特徴とする請求項１記載の錠装置。
【請求項３】
前記操作手段は、赤外線信号または電波信号を選択して送信可能な無線式のリモコン（３５）であり、
前記本体（１２）には、前記赤外線信号を受信する受光部（３６）と、前記電波信号を受信するアンテナ部（３７）とを有しており、
前記本体（１２）は、前記赤外線信号を前記受光部（３６）で受信し、または前記電波信号を前記アンテナ部（３７）で受信したときに前記解除部（１７）を作動させることを特徴とする請求項１または２記載の錠装置。
【請求項４】
建物の外面に非常スイッチ（４７）を配置しており、
その非常スイッチ（４７）での操作に応じて電波信号を送信する非常制御部（４９）を設けており、
前記本体（１２）は、前記非常制御部（４９）からの電波信号を前記アンテナ部（３７）で受信したときに前記解除部（１７）を作動させることを特徴とする請求項３記載の錠装置。
【請求項５】
建物には、非常を感知したときに電波信号を送信する非常感知器（５６）を配置しており、
前記本体（１２）は、前記非常感知器（５６）からの電波信号を前記アンテナ部（３７）で受信したときに前記解除部（１７）を作動させることを特徴とする請求項３または４記載の錠装置。
【請求項６】
建物には、複数の引違い戸（１）を配置していて、各引違い戸（１）に前記本体（１２）をそれぞれ取り付けており、
前記本体（１２）は、前記アンテナ部（３７）で受信した電波信号を増幅して前記アンテナ部（３７）から送信することを特徴とする請求項３ないし５のいずれかに記載の錠装置。  
【発明の詳細な説明】
【技術分野】
【０００１】
本発明は、マンション、一般住宅またはビルディングなどの建物の開口部に配置される引違い戸（引違い窓）を自動的に開錠する錠装置に関するものである。
【背景技術】
【０００２】
例えばベランダへの出入り口に配置されている引違い窓（引違い戸）では、防犯のためにベランダ側および室内側のガラス戸（引き戸）を閉じ切った（全閉状態にした）のち、室内側のガラス戸に取り付けたクレセントのレバーを手で掴んで回転させて、ベランダ側のガラス戸に取り付けた受け具に係止させることにより、引違い窓を施錠するようになっている。
【０００３】
ところで、火災などの緊急事態が発生したときにベランダへ避難する場合には、クレセントを回転させて引違い窓を開錠することになるが、身体障害者や高齢者などにあってはクレセントを迅速に回転させることが困難である。このため、引違い窓の開錠に時間がかかってしまい、早急な避難ができないといった問題がある。
【０００４】
その対策としては、例えば特許文献１に示すように、クレセントを回転駆動するモータを引違い窓に設け、無線式（例えば赤外線方式）のリモコンの押しボタンを押すだけの簡単な操作で、クレセントを自動的に回転させて開錠させることが考えられる。
【０００５】
また、特許文献１の錠装置では、モータとクレセントとは、ウォームギヤ、ウォームホイールおよびフリクションカップリングを介して連結されており、クレセントのレバーを手で掴んで（手動で）強制的に回転させるとフリクションカップリングが空回りして、当該クレセントが受け具に係止し、また受け具から外れるようになっている。
【先行技術文献】
【特許文献】
【０００６】
【特許文献１】特開平１１−２２２９５号公報
【発明の概要】
【発明が解決しようとする課題】
【０００７】
ところが、特許文献１の錠装置では、クレセントを手動で回転させるときにフリクションカップリングが抵抗となるため、その分だけクレセントを回転させる際の負荷が大きくなる。特に身体障害者や高齢者などにあっては、その負荷が負担になってクレセントを手動で回転させることが困難になる。
【０００８】
また、例えば複数の個室を有する介護施設においては、通常は各室の住人（被介護人）や介護人などがベランダへの出入り口の引違い窓の施錠および開錠を行うが、火災などの緊急事態が発生した場合に、その火災に気付いた住人や介護人などが、全ての住人の迅速な避難のために全ての室の引違い窓を一斉に開錠したい場合がある。
【０００９】
本発明は、かかる不都合を解決することを目的とするものであり、クレセントを自動回転させることができるうえ、クレセントを手動で回転させる際の負担を軽減できる錠装置を提供することにある。加えて複数の室の引違い窓を一斉に開錠できる錠装置を提供することにある。
【課題を解決するための手段】
【００１０】
本発明は、前記不都合を解決するものである。すなわち本発明は、建物の開口部に配置されている引違い戸１を施錠する錠装置であって、引違い戸１の一方の戸３に本体１２を取り付けており、その本体１２には、引違い戸１の他方の戸４に取り付けている受け金具に対して着脱自在に係止されるクレセント１３と、そのクレセント１３を回転自在に支持しているとともに本体１２に回転自在に支持されている回転体１４と、クレセント１３が前記受け金具から外れる開錠方向に回転体１４を付勢する付勢部１５と、回転体１４を回転不能にロックする回転体ロック部１６と、その回転体ロック部１６によるロックを解除する解除部１７とを有しており、回転体１４は、前記開錠方向へ回転する際にクレセント１３を同行回転させるようになっており、クレセント１３を前記受け金具に係止している状態で、所定の操作手段によって解除部１７を作動させたときには、回転体ロック部１６による前記ロックが解除されて回転体１４が付勢部１５の付勢力によって前記開錠方向へ回転し、その回転体１４にクレセント１３が前記開錠方向へ同行回転することを特徴とする。
【００１１】
ここでの引違い戸１には、引違い窓、片引き窓および開き窓なども含まれる。操作手段には、無線式のリモコンや、本体１２などに配置した操作スイッチなどが含まれる。
【００１２】
加えて、前記クレセント１３には、回転体１４に形成している係留部１４ｃに係留可能なロッド１９ａを配置しており、そのロッド１９ａを係留部１４ｃに係留しているときにはクレセント１３と回転体１４とが一体化して回転するようになっていて、その係留状態でクレセント１３を前記受け金具に係止する施錠方向へ回転させると、回転体１４が、クレセント１３に同行回転して回転体ロック部１６によってロックされるようになっており、前記係留部１４ｃに係留しているロッド１９ａを当該係留部１４ｃから外したときには、クレセント１３を手動で回転させることが可能になっているものとすることができる。ここでの係留部１４ｃには、回転体１４に形成している凹部（溝など）や突起などが含まれる。回転体１４にはギヤなどが含まれる。
【００１３】
また、ロッド１９ａを回転体１４の係留部１４ｃに係留している状態で当該ロッド１９ａを解除可能にロックする規制手段２３を有しているものとすることができる。
【００１４】
操作手段は、赤外線信号または電波信号を選択して送信可能な無線式のリモコン３５であり、本体１２には、前記赤外線信号を受信する受光部３６と、前記電波信号を受信するアンテナ部３７とを有しており、本体１２は、前記赤外線信号を受光部３６で受信し、または前記電波信号をアンテナ部３７で受信したときに解除部１７を作動させるようになっている。
【００１５】
加えて、建物の外面に非常スイッチ４７を配置し、非常スイッチ４７での操作に応じて電波信号を送信する非常制御部４９を設けて、本体１２が、非常制御部４９からの電波信号をアンテナ部３７で受信したしたときに解除部１７を作動させるようにすることができる。
【００１６】
また建物に、火災や地震などの非常事態を感知したときに電波信号を送信する非常感知器５６を配置し、本体１２は、非常感知器５６からの電波信号をアンテナ部３７で受信したときに解除部１７を作動させるようにすることができる。ここでの非常感知器５６には、煙感知器、熱感知器、ガス感知器または地震感知器などが該当する。ここでは、非常感知器５６自体が電波信号を送信するものや、非常感知器５６を制御盤に有線または無線で接続し、その制御盤から電波信号を送信するものなどが含まれる。
【００１７】
また、建物には複数の引違い戸１を配置し、各引違い戸１に本体１２をそれぞれ取り付け、本体１２が、アンテナ部３７で受信した電波信号を増幅してアンテナ部３７から送信するものとすることができる。
【発明の効果】
【００１８】
本発明の錠装置では、操作手段によって解除部１７を作動させたときには、回転体ロック部１６によるロックが解除され、回転体１４が付勢部１５の付勢力によって開錠方向へ回転し、その開錠方向へクレセント１３が同行回転するので、住人などは、操作手段を操作するだけの簡単な手間でクレセント１３を自動的に回転させて開錠することができて、引違い戸１の開錠の際の手間を軽減することができる。また、回転体ロック部１６によるロックを解除部１７によって解除するだけでクレセント１３が付勢部１５の付勢力で回転するので、クレセント１３を開錠方向へ回転させるためのモータなどが必要ではなく、その分だけ錠装置の省電力化を図ることができる。
【００１９】
そのうえで、クレセント１３が回転体１４に対して回転自在に支持されていることで、回転体１４をロックさせた状態でクレセント１３のみを手動で回転させて、クレセント１３の係止部１３ｃを受け金具から外し、または受け金具に係止させることができる。すなわち、前記手動での操作の際に回転体１４や付勢部１５の付勢力などが負荷になることがないため、住人などがクレセント１３を手動で操作したい場合での住人などの負担を軽減することができる。
【００２０】
クレセント１３のロッド１９ａを回転体１４の係留部１４ｃに係留している状態で、クレセント１３を手動で施錠方向へ回転させると、回転体１４がクレセント１３に同行回転して回転体ロック部１６によってロックされるようにすると、回転体１４を施錠方向へ回転させるためのモータなどが必要でなく、それによっても錠装置の省電力化を図ることができる。つまり、本発明の錠装置は、解除部１７を作動させるだけのモータ１７ａなどを備えるだけでよく、その分だけモータなどによる消費電力を低減することができる。また、ロッド１９ａを係留部１４ｃに係留している状態では回転体１４が回転体ロック部１６によってロックされ、それに伴ってクレセント１３が回転不能になるので、例えば、侵入者が外部から引き戸の一部を破壊したのち、その破壊部分から手を室内に差し込んでもクレセント１３を回転させて開錠することができず、これによって防犯性が高まる。なお、住人などが前記係留部１４ｃに係留しているロッド１９ａを当該係留部１４ｃから外したときには、操作手段を操作しなくてもクレセント１３を回転させて開錠・施錠することができる。
【００２１】
加えて、ロッド１９ａを係留部１４ｃに係留している状態でロックする規制手段２３を有していると、前記侵入者によるクレセント１３の回転をより確実に防止することができ、防犯性がより高まる。
【００２２】
また、リモコン３５から赤外線信号または電波信号のいずれを送信してもクレセント１３が回転して、引違い窓１が開錠されると、住人などのリモコン３５を操作する者は、状況に応じて送信すべき信号を使い分けることができる。例えば、介護施設などにおいて横並びの複数の室にそれぞれ錠装置１１を設けている場合に、いずれかの室の住人などがリモコン３５を操作して赤外線信号を送信すると、その赤外線信号は、当該室の錠装置１１には受信されるが、指向性がよい分だけ周囲には広がらず、他の室へは送信されない。つまり、赤外線信号では、リモコン３５を操作した室の引違い戸１しか開錠せず、他の室の引違い戸１は開錠しない。
【００２３】
一方、例えば火災が発生した場合には、それに気付いた住人などは前記複数の室の錠装置１１を一斉に作動（開錠）させたいことになるが、電波信号は周囲に広がり易く、従って他の室の錠装置１１まで同時に送信することができる。つまり、電波信号では、リモコン３５を操作した室の引違い戸１のみならず、他の室（両隣の室など）の引違い戸１も同時に開錠させることが可能になる。これにより、各室の住人は、直ちに引違い戸１を開いて避難することができる。
【００２４】
建物の外面の非常スイッチ４７が操作されて非常制御部４９から電波信号が送信され、その電波信号を本体１２で受信したときにクレセント１３が回転して受け金具から外れるようにすると、例えば火災が発生した場合に、消防士などが非常スイッチ３３を操作することで、室が複数であっても、それらの室の錠装置１１を一斉に作動（開錠）させることができる。これによっても住人などは直ちに引違い戸１を開いて避難することができる。また消防士などが引違い戸１を開いて室内に入って住人などを救出することができる。
【００２５】
非常感知器５６から電波信号が送信され、その電波信号を本体１２で受信したときにクレセント１３が回転して受け金具から外れるようにすると、火災などの非常事態が発生した場合に、各室の錠装置１１を自動的に一斉に作動（開錠）させることができ、これによっても住人などが直ちに引違い戸１を開いて避難することができる。
【００２６】
本体１２がアンテナ部３７で受信した電波信号を増幅してアンテナ部３７から送信すると、リモコン３５を操作した室から離れている室であっても、他の室の錠装置１１の本体１２を介して、前記電波信号を受信することができて、各室の引違い戸１を確実に開錠させることができる。
【図面の簡単な説明】
【００２７】
【図１】本発明の一実施例の錠装置の縦断面図である。
【図２】錠装置を配置した引違い窓の正面図である。
【図３】図１のＡ−Ａ線矢視断面図である。
【図４】本発明に係るクレセントの縦断面図である。
【図５】図４のＢ−Ｂ線矢視断面図である。
【図６】図４のＣ−Ｃ線矢視断面図である。
【図７】図４のＤ−Ｄ線矢視断面図である。
【図８】錠装置のブロック構成図である。
【図９】クレセントを開錠した状態を示す図１の相当図である。
【発明を実施するための形態】
【００２８】
本発明に係る錠装置の一実施例を図１ないし図９に基づいて説明する。本発明の錠装置は、例えば、マンションなどの建物の室内とベランダとを仕切る出入り口（開口部）に配置する引違い窓（引違い戸）をクレセントで施錠するものであって、そのクレセントを、リモコンなどを用いて開錠できるようになっている。
【００２９】
前記引違い窓１は、図２に示すように、前記出入り口に固定しているアルミニウム製の矩形状の枠２と、前記出入り口を開閉する内外二枚のガラス戸（戸）３・４とを有している。前記枠２は、左右の竪枠２ａ・２ａと、それらの竪枠２ａ・２ａの上端間に掛け渡した上枠２ｂと、竪枠２ａ・２ａの下端間に掛け渡した下枠２ｃとで構成している。
【００３０】
各ガラス戸３・４は、ガラス５をアルミニウム製の矩形状の框６の中に取り付けている。その框６は、左右の縦框６ａ・６ａと、その縦框６ａ・６ａの上端間に掛け渡した上框６ｂと、左右の縦框６ａ・６ａの下端間に掛け渡した下框６ｃとで構成している。各ガラス戸３・４は、枠２の上枠２ｂおよび下枠２ｃに配置した上下のレール（不図示）に沿って左右方向にスライド移動可能になっている。
【００３１】
前記ガラス戸３・４のうち、室内側（内側）となる一方のガラス戸３（図２では右側）には、左側の縦框６ａの左面に本発明に係る錠装置１１の本体１２を取り付けており、ベランダ側（外側）となる他方のガラス戸４（図２では左側）には、右側の縦框６ａであって錠装置１１の本体１２のクレセント１３に対応する位置に、フック状の受け金具（図示せず）を取り付けている。両ガラス戸３・４において前記出入り口の左右の端部に位置する縦框６ａ・６ａには、その内側および外側に取っ手９をそれぞれ取り付けている。
【００３２】
錠装置１１の本体１２には、図１および図３に示すように、前記受け金具に対して着脱自在に係止される前記クレセント１３と、そのクレセント１３を回転自在に支持しているとともに本体１２のベース２０に回転自在に支持されている円筒形状のギヤ（回転体）１４と、クレセント１３が前記受け金具から外れる開錠方向（図１では時計回り方向）にギヤ１４を付勢する付勢部１５と、ギヤ１４を回転不能にロックする回転体ロック部１６と、その回転体ロック部１６によるロックを解除する解除部１７とを有している。本体１２のベース２０は、一方のガラス戸３の左側の縦框６ａにビスなどで取り付けられる。本体１２のベース２０および各部は、外装カバー２１で覆われている。
【００３３】
クレセント１３は、図４および図５に示すように、円筒形状の軸部１３ａと、その軸部１３ａから外方へ延びているレバー１３ｂと、軸部１３ａの外周面から突出していて前記受け金具に係止される扇形状の係止部１３ｃと、レバー１３ｂに配置しているクレセントロック部１９とを有している。ギヤ１４は、クレセント１３の軸部１３ａに内嵌する円筒形状の筒部１４ａと、付勢部１５のラック１５ａ（図１）が噛合するギヤ体１４ｂとを有している。ギヤ１４の筒部１４ａは、錠装置１１の本体１２のベース２０に固定している円柱形状の軸３２に対して回転自在に外嵌している。ギヤ体１４ｂは、筒部１４ａよりもベース２０側に位置している。
【００３４】
付勢部１５は、図１および図３に示すように、上下方向に延びる角棒形状の前記ラック１５ａと、そのラック１５ａに一端（図１では上側）を接続しているコイルバネ１５ｂとを有している。前記ラック１５ａは、ギヤ１４のギヤ体１４ｂに噛合する歯１５ｃをラック１５ａの長さ方向（上下方向）に並べている。コイルバネ１５ｂの他端は本体１２のベース２０に取り付けている。回転体ロック部１６は、付勢部１５のラック１５ａの上端部に形成している切り欠き１５ｄに噛合する位置（図１の位置）とラック１５ａから離れる所定の解除位置（図１では左側）との間でスライド移動（図１では左右方向）する爪１６ａと、その爪１６ａをラック１５ａ側へ付勢するコイルバネ１６ｂとを有している。回転体ロック部１６の爪１６ａの先端面は、ギヤ１４側（下側）へ向かうに従って後方（図１では左方向）となるように傾斜している。
【００３５】
解除部１７は、後述する開錠制御部３８によって制御されるモータ１７ａと、そのモータ１７ａの出力軸に減速装置を介して連結しているカム１７ｂと、そのカム１７ｂに一端部（図１では上側）が当接して当該カム１７ｂによって揺動駆動されるアーム１７ｃとを有している。アーム１７ｃは、その上下中間を揺動軸１０によってベース２０に揺動自在に支持されている。そのアーム１７ｃの他端部（図１では下側）は、回転体ロック部１６の爪１６ａに設けているピン１６ｃに当接しており、回転体ロック部１６のコイルバネ１６ｂの付勢力によって付勢部１５のラック１５ａ側へ押されている。これによってアーム１７ｃの一端部が解除部１７のカム１７ｂに押し付けられる。
【００３６】
クレセントロック部１９は、図４および図５に示すように、クレセント１３のレバー１３ｂ内に配置していて、レバー１３ｂの長さ方向（図４では上下方向）へスライド移動可能なロッド１９ａと、レバー１３ｂ外（図５では右側）に配置していてロッド１９ａに連結しているつまみ２２と、ロッド１９ａのスライド移動を規制する規制部（規制手段）２３と、ロッド１９ａをギヤ１４の筒部１４ａ側へ付勢するコイルバネ２４とを有している。クレセントロック部１９のロッド１９ａの端部（図４では下側）は、ギヤ１４の筒部１４ａの外周面に形成している溝状の係留部１４ｃに係留（嵌合）可能になっている。その係留状態でクレセント１３とギヤ１４とが一体化して回転可能になっている。
【００３７】
クレセントロック部１９のつまみ２２は、指などでレバー１３ｂの先端側（図５では上側）へ押すことで、ロッド１９ａがコイルバネ２４の付勢力に抗してレバー１３ｂの先端側へ移動してギヤ１４の係留部１４ｃから外れる。その状態でクレセント１３は、手動で自由に回転させることができる。その手動での回転の際には、ギヤ１４や付勢部１５の付勢力などが抵抗にならず、クレセント１３を軽い力で回転させることができる。つまみ２２とロッド１９ａとは円柱形状のピン２２ａで連結しており、そのピン２２ａは、レバー１３ｂに切り欠き形成している挿通孔１３ｄを貫通している。
【００３８】
クレセントロック部１９の規制部２３は、クレセントロック部１９のロッド１９ａに形成している切り欠き２７内に位置しているカム２５と、そのカム２５に連結していてカム２５を回転させるための頭部２６とを有している。カム２５は、クレセント１３のレバー１３ｂの内面に回転自在に支持されている。頭部２６は、レバー１３ｂ外（図５では右側）に露出しており、その露出面に、例えば十円硬貨の厚み寸法より０．５ｍｍ程度大きい幅の溝２６ａを形成している。その溝２６ａに十円硬貨などを差し入れて頭部２６を回転させることができる。頭部２６とロッド１９ａとは円柱形状のピン２６ｂで連結している。
【００３９】
規制部２３のカム２５は、その長手方向をロッド１９ａのスライド移動方向に沿わせると（図４の実線図の状態）、ロッド１９ａをスライド移動させようとしてもカム２５がロッド１９ａの切り欠き２７の縁（図４では上下の縁）に当接し、これによって当該ロッド１９ａがギヤ１４の係留部１４ｃから外れることが阻止される。一方、カム２５の長手方向をロッド１９ａのスライド移動方向と直交する方向に沿わせると（図４の仮想線図の状態）、ロッド１９ａをスライド移動させてギヤ１４の係留部１４ｃから外すことが可能になる。なお、ロッド１９ａのスライド移動可能な範囲は、クレセント１３のレバー１３ｂに設けている突起２９がロッド１９ａに形成している切り欠き２８内に位置することによって規制される。
【００４０】
ギヤ１４の筒部１４ａの外周の端部（図４では右側）には、図６に示すように、周方向に延びる扇形状の突起１４ｄを形成している。その突起１４ｄは、クレセント１３の軸部１３ａの端面（図４では右側）からベース２０側へ突出していて周方向に延びる扇形状の突起１３ｅに当接可能になっている。クレセント１３の突起１３ｅの周方向の寸法は、ギヤ１４の突起１４ｄの周方向の寸法よりも大きくなっている。クレセント１３の回転に伴ってクレセント１３の突起１３ｅがギヤ１４の突起１４ｄに当接したときには、クレセント１３の回転にギヤ１４が同行回転し、またギヤ１４の回転に伴ってギヤ１４の突起１４ｄがクレセント１３の突起１３ｅに当接したときには、ギヤ１４の回転にクレセント１３が同行回転するようになっている。
【００４１】
錠装置１１の本体１２のベース２０には、図７に示すように、前記軸３２の外周面に沿って扇形状に延びる突起３０を形成しており、その突起３０は、ギヤ１４のギヤ体１４ｂの端面（図４では右端）に形成していてギヤ体１４ｂの周方向に延びる扇形状の凹部３１に入り込んでいる。そして、ギヤ１４の凹部３１の周方向の縁がベース２０の突起３０に当接することで、ギヤ１４の回転範囲が規制される。ギヤ体１４ｂの凹部３１の周方向の寸法は、ベース２０の突起３０の周方向の寸法よりも大きくなっている。
【００４２】
錠装置１１の本体１２には、クレセント１３が過度の速度で回転しないように減速手段を有している。その減速手段は、図１に示すように、付勢部１５のラック１５ａから横方向（図１では左方向）へ延びる延出部３３と、その延出部３３の下方に位置するショックアブソーバー３４とを有している。そして、コイルバネ１５ｂの引っ張り力（付勢力）によってラック１５ａが下方向にスライド移動する際に、ラック１５ａの延出部３３がショックアブソーバー３４に受け止められることによって、当該ラック１５ａの移動速度が減速される。これに伴ってギヤ１４の回転が減速し、そのギヤ１４に同行回転するクレセント１３の回転も減速する。
【００４３】
錠装置１１の本体１２には、受け金具に係止されているクレセント１３を自動的に回転させて、当該クレセント１３を受け金具から外すための手段を有している。すなわち、本体１２には、図８に示すように、赤外線信号または電波信号を選択して送信可能な無線式のリモコン（操作手段）３５からの赤外線信号を受信（受光）する受光部３６と、リモコン３５からの電波信号を受信するアンテナ部３７と、受光部３６で赤外線信号を受信またはアンテナ部３７で電波信号を受信したときに、その信号に応じて解除部１７のモータ１７ａを作動させる開錠制御部３８とを有している。
【００４４】
また本体１２には、回転体ロック部１６の爪１６ａが付勢部１５のラック１５ａから離れる解除位置になる回転角度まで解除部１７のカム１７ｂが回転したことを検知するリミットスイッチ３９を有している。開錠制御部３８は、前記リミットスイッチ３９によって前記回転角度までカム１７ｂが回転したことを検知するとモータ１７ａを停止する。本体１２には、一次電池または二次電池などからなる電源用の電池４０（図１）を内蔵している。
【００４５】
錠装置１１の本体１２の外装カバー２１の室内側およびベランダ側となる面には、図１および図３に示すように、リモコン３５からの赤外線信号を本体１２内に導くための受光窓５３をそれぞれ形成している。このように、本体１２の室内側およびベランダ側に受光窓５３をそれぞれ形成したので、室内およびベランダのいずれかからリモコン３５を操作しても、そのリモコン３５からの赤外線信号が受光窓５３を介して受光部３６に受信される。各受光窓５３には、赤外線のみが透過可能な樹脂材５４を配置している。
【００４６】
リモコン３５には、図８に示すように、赤外線信号を送信（発光）する発光部４１と、電波信号を送信するアンテナ部４２と、ギヤ１４を回転させてクレセント１３を受け金具から外す旨の赤外線信号を送信させるための第１押ボタン４３と、ギヤ１４を回転させてクレセント１３を受け金具から外す旨の電波信号を送信させるための第２押ボタン４４と、前記押ボタン４３・４４の操作に応じて前記赤外線信号または前記電波信号を送信させるリモコン制御部４５とを有している。リモコン３５には、電源用の電池（一次電池または二次電池）を内蔵している。
【００４７】
また、引違い窓１の近傍であって建物のベランダ側となる外面には、非常ボタン（非常スイッチ）４７と警報装置４８とを配置している（図２参照）。その非常ボタン４７と警報装置４８とは、非常ボタン４７の近傍に配置している非常制御部４９に接続しており、非常制御部４９には、錠装置１１の本体１２のギヤ１４を回転させてクレセント１３を受け金具から外す旨の電波信号を送信するアンテナ部５０を有している。また、非常制御部４９は、警報装置４８による報知を行う。例えば警報装置４８がベルの場合には、そのベルを鳴らして報知する。非常制御部４７および警報装置４８は、商用電源（ＡＣ１００Ｖなど）または電池（一次電池または二次電池）によって駆動される。警報装置４８は、ブザーなどであってもよく、またベルやブザーでの報知とともに警報用のランプを点灯（または点滅）させてもよい。
【００４８】
また、建物の適所には、煙感知器や熱感知器やガス感知器や地震感知器などの一個または複数個の非常感知器５６を配置している。その非常感知器５６には、前記本体１２のギヤ１４を回転させてクレセント１３を受け金具から外す旨の電波信号を送信するアンテナ部５７などを有している。
【００４９】
錠装置１１の動作を説明すると、例えばクレセント１３の係止部１３ｃが受け金具から外れているときに（図９の状態）、引違い窓１を施錠させる場合には、クレセント１３のレバー１３ｂを手で掴んで手動で施錠方向へ回転（図９では反時計方向）させて、クレセント１３の係止部１３ｃを受け金具に係止させる（施錠状態）。
【００５０】
そのクレセント１３の回転に伴ってギヤ１４がクレセント１３と同方向（施錠方向）へ回転（同行回転）し、そのギヤ１４の回転によって付勢部１５のラック１５ａが上方へスライド移動し、それに伴ってコイルバネ１５ｂが上方へ引っ張られる。そして、レバー１３ｂが上下方向に沿う姿勢（図３の姿勢）までクレセント１３を回転させることで、ラック１５ａの切り欠き１５ｄに回転体ロック部１６の爪１６ａが係合する（図１の状態）。これによってラック１５ａが移動不能になって、そのラック１５ａに噛合するギヤ１４がロックされる（回転不能になる）。なお、このときにはクレセントロック部１９のロッド１９ａが、ギヤ１４の筒部１４ａの係留部１４ｃに係留している（図４および図５の状態）。
【００５１】
前記施錠状態で、例えばクレセント１３のつまみ２２を指などでレバー１３ｂの先端側（図５では上側）へ押すことで、ロッド１９ａがギヤ１４の係留部１４ｃから外れ、これによってクレセント１３を手動で回転させて、クレセント１３の係止部１３ｃを受け金具から外すことができる。
【００５２】
また、前記施錠状態で、例えばリモコン３５の第１押ボタン４３が押されて、リモコン３５から赤外線信号が送信され、その赤外線信号を錠装置１１の本体１２の受光部３６が受信（受光）すると、解除部１７のモータ１７ａが駆動されてカム１７ｂが回転する。そのカム１７ｂの回転によってアーム１７ｃの一端部が時計方向（図１では右方向）へ押され、アーム１７ｃの他端部が、回転体ロック部１６の爪１６ａのピン１６ｃをコイルバネ１６ｂの付勢力に抗して付勢部１５のラック１５ａから離れる方向（図１では左方向）へ押す。
【００５３】
これにより、回転体ロック部１６の爪１６ａが、付勢部１５のラック１５ａから離れる解除位置にスライド移動してラック１５ａの切り欠き１５ｄから外れる。その結果、回転体ロック部１６によるギヤ１４のロックが解除され、コイルバネ１５ｂの付勢力によってラック１５ａが下方へ引っ張られる。すると、ギヤ１４がクレセント１３を受け金具から外れる開錠方向（図１の時計方向）へ回転し、そのギヤ１４にクレセント１３が同行回転する（開錠方向への回転）。その結果、クレセント１３の係止部１３ｃが受け金具から外れて（図９の状態）、引違い窓１が開錠される。
【００５４】
前記施錠状態で、例えばリモコン３５の第２押ボタン４４が押されて、リモコン３５から電波信号が送信され、その電波信号を錠装置１１の本体１２のアンテナ部３７が受信した場合にも、解除部１７のモータ１７ａが駆動されて回転体ロック部１６の爪１６ａが付勢部１５のラック１５ａの切り欠き１５ｄから外れ、ギヤ１４が前記開錠方向へ回転するとともに、クレセント１３がギヤ１４と同行回転する。その場合にも、クレセント１３の係止部１３ｃが受け金具から外れて、引違い窓１が開錠される。
【００５５】
また、前記施錠状態で、前記非常ボタン４７が押されて、非常制御部４９のアンテナ部５０から電波信号が送信され、その電波信号を錠装置１１の本体１２のアンテナ部３７が受信した場合にも、解除部１７のモータ１７ａが駆動されて、ギヤ１４が前記開錠方向へ回転し、クレセント１３の係止部１３ｃが受け金具から外れて引違い窓１が開錠される。その際、警報装置４８による報知も同時に行われる。
【００５６】
さらに、火災などが発生した場合には非常感知器５６から電波信号が送信され、その電波信号を錠装置１１の本体１２のアンテナ部３７が受信した場合にも、解除部１７のモータ１７ａが駆動されて、ギヤ１４が前記開錠方向へ回転し、クレセント１３の係止部１３ｃが受け金具から外れて引違い窓１が開錠される。
【００５７】
このように、リモコン３５を操作して解除部１７のモータ１７ａを駆動（作動）させたときには、回転体ロック部１６の爪１６ａによるロックが解除され、ギヤ１４が付勢部１５の付勢力によって開錠方向へ回転し、その開錠方向へクレセント１３が同行回転するので、住人などは、リモコン３５を操作するだけの簡単な手間でクレセント１３を自動的に回転させて開錠することができ、引違い戸１の開錠の際の手間を軽減することができる。そのうえで、ギヤ１４をロックさせた状態でクレセント１３のみを手動で回転させてクレセント１３の係止部１３ｃを受け金具から外し、また受け金具に係止させることができるので、その手動操作の際にギヤ１４や付勢部１５の付勢力などが負荷になることがなく、その分だけ住人などがクレセント１３を手動操作する際の負担を軽減できる。
【００５８】
クレセント１３のクレセントロック部１９のロッド１９ａがギヤ１４の係留部１４ｃに係留したときには、クレセント１３がロックされて回転不能になる。これにより、例えば侵入者が外部からガラス戸の一部を破壊したのち、その破壊部分から手を室内に差し込んでもクレセント１３を回転させることができず、その分だけ防犯性が高まる。加えて、クレセントロック部１９の規制部２３によってロッド１９ａの移動を阻止することができるので、侵入者によるクレセント１３の回転をより確実に防止することができる。
【００５９】
また、リモコン３５から赤外線信号または電波信号のいずれを送信してもクレセント１３が回転して、引違い窓１が開錠されるので、住人などのリモコン３５を操作する者は、状況に応じて送信すべき信号を使い分けることができる。例えば、介護施設などにおいて横並びの複数の室にそれぞれ錠装置１１を設けている場合に、いずれかの室の住人などが、例えば起床し、または室に戻ってきてリモコン３５の第１押ボタン４３を押すと、赤外線信号は、当該室の錠装置１１には送信されて引違い窓１が開錠されるが、指向性がよい分だけ周囲には広がらず、他の室へは送信されない。つまり、赤外線信号では、リモコン３５を操作した室の引違い窓１しか開錠せず、他の室の引違い窓１は開錠しない。
【００６０】
一方、例えば火災が発生した場合には、それに気付いた住人などは前記複数の室の錠装置１１を一斉に作動（開錠）させたいことになるが、電波信号は周囲に広がり易く、従って他の室の錠装置１１まで同時に送信することができる。つまり、電波信号では、リモコン３５を操作した室の引違い窓１のみならず、他の室（両隣の室など）の引違い窓１も同時に開錠させることが可能になる。これにより、各室の住人は、直ちに引違い窓１を開いてベランダへ避難することができる。
【００６１】
なお、各錠装置１１の本体１２は、アンテナ部３７で受信した電波信号を増幅して、そのアンテナ部３７から送信するようにしてもよい。これによれば、リモコン３５を操作した室から離れている室であっても、他の室の錠装置１１の本体１２を介して、前記電波信号を受信することができ、各室の引違い窓１を確実に開錠させることができる。
【００６２】
また、火災などが発生した場合に、消防士などが非常ボタン４７を押すことで各室のクレセント１３を一斉に受け金具から外して、各室の引違い窓１をそれぞれ開錠することができる。これにより、各室の住人などは、直ちに引違い窓１を開いてベランダへ避難することができる。その際には前記消防士などが引違い窓１を開いて室内に入って住人などを救出することができる。加えて警報装置４８による報知が行われることで、当該建物の住人や周辺の建物の住人などに、火災などの非常事態であることを知らせることができる。その場合にも、各錠装置１１の本体１２は、アンテナ部３７で受信した電波信号を増幅してそのアンテナ部３７から送信するようにしてもよい。
【００６３】
また、火災や地震などが発生した場合には非常感知器５６から電波信号が送信され、その電波信号によって各室のクレセント１３を一斉に受け金具から外して、各室の引違い窓１をそれぞれ自動的に開錠することができる。これによっても各室の住人などは、直ちに引違い窓１を開いてベランダへ避難することができる。
【００６４】
なお、非常ボタン４７および警報装置４８は、全ての引違い窓１に対応させて配置する必要はなく、室数よりも少なく配置してもよい。その場合、非常ボタン４７および警報装置４８は、任意の位置に配置することになる。また、非常感知器５６自体が電波信号を送信するものであってもよく、例えば一個または複数個の非常感知器５６を制御盤に有線または無線で接続し、その制御盤から錠装置１１の本体１２に電波信号を送信するようにしてもよい。
【００６５】
錠装置１１の本体１２には、モータ１７ａの作動時に点灯するＬＥＤ５１（図８）と、内蔵ブザー５２（図８）とを配置している。錠装置１１の本体１２の開錠制御部３８は、例えば電池が容量不足になったときに前記ＬＥＤ５１の点滅や内蔵ブザー５２の作動などによってその旨を報知することができる。開錠制御部３８は、所定時間（例えば数秒）ごとにしか作動しないようになっており、リモコン３５、非常制御部４９および非常感知器５６は、開錠制御部３８の作動停止時間よりも長い時間、前記赤外線信号または電波信号を送信するようになっている。開錠制御部３８を所定時間ごとにしか作動しないようにしたことで、本体１２での消費電力が抑えられる。
【００６６】
前記説明では、モータ１７ａや電池４０などをクレセント１３の上側に配置したが、モータ１７ａや電池４０などをクレセント１３の下側に配置してもよい。
【符号の説明】
【００６７】
１  引違い窓
３  一方のガラス戸
４  他方のガラス戸
１１  錠装置
１２  本体
１３  クレセント
１４  ギヤ（回転体）
１４ｃ  係留部
１５  付勢部
１６  回転体ロック部
１７  解除部
１９ａ  ロッド
２３  規制部（規制手段）
３５  リモコン
３６  受光部
３７  アンテナ部
４７  非常ボタン
４９  非常制御部
５６  非常感知器
【図１】
0005992679.tif 000002
【図２】
0005992679.tif 000003
【図３】
0005992679.tif 000004
【図４】
0005992679.tif 000005
【図５】
0005992679.tif 000006
【図６】
0005992679.tif 000007
【図７】
0005992679.tif 000008
【図８】
0005992679.tif 000009
【図９】
0005992679.tif 000010